【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
ユーザ機器のための、拡張キャリアアグリゲーション（ｅＣＡ）におけるダウンリンク（ＤＬ）割当てインデックス（ＤＡＩ）管理の方法であって、
基地局から、コードワードまたはＤＬ割当ての総数を示すＤＡＩを備えるＤＬグラントを受信することと、
前記基地局から受信された前記ＤＡＩを解釈することと、ここにおいて、前記ＤＡＩの前記解釈は、前記ＤＡＩが前記ＤＬグラントにおいて受信されたかＵＬグラントにおいて受信されたかに依存して異なり、
前記ＤＡＩの前記解釈に基づいて、前記基地局にフィードバックを送信することと、
を備える方法。
【請求項２】
前記ＤＡＩは、周波数および時間の両方の上のコードワードまたはＤＬ割当ての総数を示す、請求項１に記載の方法。
【請求項３】
前記ＤＡＩのビット幅は、少なくとも２ビットである、請求項１に記載の方法。
【請求項４】
前記ＤＬグラント中の前記ＤＡＩの存在は、前記ｅＣＡ中のキャリアの数に依存する、請求項１に記載の方法。
【請求項５】
前記ＤＡＩは、前記ｅＣＡ中の前記キャリアの数が５より大きいときにだけ存在する、請求項１に記載の方法。
【請求項６】
複数の物理アップリンク制御チャネル（ＰＵＣＣＨ）グループを識別することと、
前記複数のＰＵＣＣＨグループの各々について別個に前記ＤＡＩを解釈することと、
をさらに備える、請求項１に記載の方法。
【請求項７】
前記ＤＡＩは、前記ｅＣＡが周波数分割複信（ＦＤＤ）キャリアだけを含むとき、前記ＵＬグラントに含まれない、請求項１に記載の方法。
【請求項８】
ＤＡＩが、前記ＵＬグラントにおいて前記基地局からさらに受信され、前記ｅＣＡは、少なくとも１つの時分割複信（ＴＤＤ）キャリアを含み、前記ＤＡＩは、前記ｅＣＡの少なくとも１つのキャリアについて、時間上の前記コードワードまたはＤＬ割当ての総数を示す、請求項１に記載の方法。
【請求項９】
前記ＤＡＩは、前記ｅＣＡのそれぞれのキャリアごとの、時間上のコードワードまたはＤＬ割当ての総数の最大値を示す、請求項８に記載の方法。
【請求項１０】
ＤＡＩが、前記ＵＬグラントにおいて前記基地局からさらに受信され、前記ｅＣＡは、周波数分割複信（ＦＤＤ）キャリアおよび時分割複信（ＴＤＤ）キャリアの両方を含み、前記ＤＡＩは、ＴＤＤキャリアが物理アップリンク制御チャネル（ＰＵＣＣＨ）セルとして構成されるとき、前記ＵＬグラントにおける２ビットＤＡＩである、請求項１に記載の方法。
【請求項１１】
ユーザ機器のための、拡張キャリアアグリゲーション（ｅＣＡ）におけるダウンリンク（ＤＬ）割当てインデックス（ＤＡＩ）管理のための装置であって、
基地局から、コードワードまたはＤＬ割当ての総数を示すＤＡＩを備えるＤＬグラントを受信するための手段と、
前記基地局から受信された前記ＤＡＩを解釈するための手段と、ここにおいて、前記ＤＡＩの前記解釈は、前記ＤＡＩが前記ＤＬグラントにおいて受信されたかＵＬグラントにおいて受信されたかに依存して異なり、
前記ＤＡＩの前記解釈に基づいて、前記基地局にフィードバックを送信するための手段と、
を備える装置。
【請求項１２】
前記ＤＡＩは、周波数および時間の両方の上のコードワードまたはＤＬ割当ての総数を示す、請求項１１に記載の装置。
【請求項１３】
前記ＤＡＩのビット幅は、少なくとも２ビットである、請求項１１に記載の装置。
【請求項１４】
前記ＤＬグラント中の前記ＤＡＩの存在は、前記ｅＣＡ中のキャリアの数に依存する、請求項１１に記載の装置。
【請求項１５】
前記ＤＡＩは、前記ｅＣＡ中の前記キャリアの数が５より大きいときにだけ存在する、請求項１１に記載の装置。
【請求項１６】
コンピュータによって実行されると、前記コンピュータに、請求項１ないし１０のいずれか一項に記載の方法を実行させる命令を備えたコンピュータ読取可能な媒体。
【手続補正２】
【補正対象書類名】明細書
【補正対象項目名】００７２
【補正方法】変更
【補正の内容】
【００７２】
[0077]前述の開示は実例となる態様を示すが、添付の特許請求の範囲によって定義される本開示の範囲から逸脱することなく様々な変更および修正が本明細書で行われ得ることに留意されたい。本明細書に説明された本開示の態様にかかる方法の請求項の機能、ステップ、および／またはアクションは、特定の順序で実行される必要はない。さらに、特定の態様は、単数形で説明され得るまたは特許請求され得るが、単数形への限定が明記されていない限り、複数形が考慮されている。
以下に本願の出願当初の特許請求の範囲に記載された発明を付記する。
［Ｃ１］  拡張キャリアアグリゲーション（ｅＣＡ）におけるダウンリンク（ＤＬ）割当てインデックス（ＤＡＩ）管理の方法であって、
ユーザ機器（ＵＥ）においておよび基地局から、コードワードまたはＤＬ割当ての総数を示すＤＡＩを受信することと、
前記ＤＡＩが前記基地局からＤＬグラントにおいて受信されたかアップリンク（ＵＬ）グラントにおいて受信されたかに少なくとも基づいて、前記ＵＥにおいて、前記基地局から受信された前記ＤＡＩを解釈することと、
を備える方法。
［Ｃ２］  前記ＤＡＩは、前記ＤＬグラントにおいて前記基地局から受信される、Ｃ１に記載の方法。
［Ｃ３］  前記ＤＡＩは、周波数および時間の両方の上のコードワードまたはＤＬ割当ての総数を示す、Ｃ２に記載の方法。
［Ｃ４］  前記ＤＡＩのビット幅は、少なくとも２ビットである、Ｃ２に記載の方法。
［Ｃ５］  前記ＤＬグラント中の前記ＤＡＩの存在は、前記ｅＣＡ中のキャリアの数に依存する、Ｃ２に記載の方法。
［Ｃ６］  前記ＤＡＩは、前記ｅＣＡ中の前記キャリアの数が５より大きいときにだけ存在する、Ｃ２に記載の方法。
［Ｃ７］  複数の物理アップリンク制御チャネル（ＰＵＣＣＨ）グループを識別することと、
前記複数のＰＵＣＣＨグループの各々について別個に前記ＤＡＩを解釈することと、  をさらに備える、Ｃ２に記載の方法。
［Ｃ８］  前記ＤＡＩは、前記ｅＣＡが周波数分割複信（ＦＤＤ）キャリアだけを含むとき、前記ＵＬグラントに含まれない、Ｃ２に記載の方法。
［Ｃ９］  前記ＤＡＩは、前記ＵＬグラントにおいて前記基地局から受信され、前記ｅＣＡは、少なくとも１つの時分割複信（ＴＤＤ）キャリアを含み、前記ＤＡＩは、前記ｅＣＡの少なくとも１つのキャリアについて、時間上の前記コードワードまたはＤＬ割当ての総数を示す、Ｃ１に記載の方法。
［Ｃ１０］  前記ＤＡＩは、前記ｅＣＡのそれぞれのキャリアごとの、時間上のコードワードまたはＤＬ割当ての総数の最大値を示す、Ｃ９に記載の方法。
［Ｃ１１］  前記ＤＡＩは、前記ＵＬグラントにおいて前記基地局から受信され、前記ｅＣＡは、周波数分割複信（ＦＤＤ）キャリアおよび時分割複信（ＴＤＤ）キャリアの両方を含み、前記ＤＡＩは、ＴＤＤキャリアが物理アップリンク制御チャネル（ＰＵＣＣＨ）セルとして構成されるとき、前記ＵＬグラントにおける２ビットＤＡＩである、Ｃ１に記載の方法。
［Ｃ１２］  拡張キャリアアグリゲーション（ｅＣＡ）におけるダウンリンク（ＤＬ）割当てインデックス（ＤＡＩ）管理のための装置であって、
ユーザ機器（ＵＥ）においておよび基地局から、コードワードまたはＤＬ割当ての総数を示すＤＡＩを受信するための手段と、
前記ＤＡＩが前記基地局からＤＬグラントにおいて受信されたかアップリンク（ＵＬ）グラントにおいて受信されたかに少なくとも基づいて、前記ＵＥにおいて、前記基地局から受信された前記ＤＡＩを解釈するための手段と、
を備える装置。
［Ｃ１３］  前記ＤＡＩは、前記ＤＬグラントにおいて前記基地局から受信される、Ｃ１２に記載の装置。
［Ｃ１４］  前記ＤＡＩは、周波数および時間の両方の上のコードワードまたはＤＬ割当ての総数を示す、Ｃ１３に記載の装置。
［Ｃ１５］  前記ＤＡＩのビット幅は、少なくとも２ビットである、Ｃ１３に記載の装置。
［Ｃ１６］  前記ＤＬグラント中の前記ＤＡＩの存在は、前記ｅＣＡ中のキャリアの数に依存する、Ｃ１３に記載の装置。
［Ｃ１７］  前記ＤＡＩは、前記ｅＣＡ中の前記キャリアの数が５より大きいときにだけ存在する、Ｃ１３に記載の装置。
［Ｃ１８］  複数の物理アップリンク制御チャネル（ＰＵＣＣＨ）グループを識別するための手段と、
前記複数のＰＵＣＣＨグループの各々について別個に前記ＤＡＩを解釈するための手段と、
をさらに備える、Ｃ１３に記載の装置。
［Ｃ１９］  前記ＤＡＩは、前記ｅＣＡが周波数分割複信（ＦＤＤ）キャリアだけを含むとき、前記ＵＬグラントに含まれない、Ｃ１３に記載の装置。
［Ｃ２０］  前記ＤＡＩは、前記ＵＬグラントにおいて前記基地局から受信され、前記ｅＣＡは、少なくとも１つの時分割複信（ＴＤＤ）キャリアを含み、前記ＤＡＩは、前記ｅＣＡの少なくとも１つのキャリアについて、時間上の前記コードワードまたはＤＬ割当ての総数を示す、Ｃ１２に記載の装置。
［Ｃ２１］  前記ＤＡＩは、前記ｅＣＡのそれぞれのキャリアごとの、時間上のコードワードまたはＤＬ割当ての総数の最大値を示す、Ｃ２０に記載の装置。
［Ｃ２２］  前記ＤＡＩは、前記ＵＬグラントにおいて前記基地局から受信され、前記ｅＣＡは、周波数分割複信（ＦＤＤ）キャリアおよび時分割複信（ＴＤＤ）キャリアの両方を含み、前記ＤＡＩは、ＴＤＤキャリアが物理アップリンク制御チャネル（ＰＵＣＣＨ）セルとして構成されるとき、前記ＵＬグラントにおける２ビットＤＡＩである、Ｃ１２に記載の装置。
［Ｃ２３］  拡張キャリアアグリゲーション（ｅＣＡ）におけるダウンリンク（ＤＬ）割当てインデックス（ＤＡＩ）管理のための装置であって、
データを記憶するように構成されたメモリと、
前記メモリと通信可能に結合された１つまたは複数のプロセッサと、
を備え、前記１つまたは複数のプロセッサおよび前記メモリは、
ユーザ機器（ＵＥ）においておよび基地局から、コードワードまたはＤＬ割当ての総数を示すＤＡＩを受信することと、
前記ＤＡＩが基地局からＤＬグラントにおいて受信されたかアップリンク（ＵＬ）グラントにおいて受信されたかに少なくとも基づいて、前記ＵＥにおいて、前記基地局から受信された前記ＤＡＩを解釈することと、
を行うように構成される、装置。
［Ｃ２４］  前記１つまたは複数のプロセッサおよび前記メモリは、前記ＤＬグラントにおいて前記基地局から前記ＤＡＩを受信するようにさらに構成される、Ｃ２３に記載の装置。
［Ｃ２５］  前記１つまたは複数のプロセッサおよび前記メモリは、前記ｅＣＡ中のキャリアの数が５より大きいとき、前記ＤＬグラントにおいて前記ＤＡＩを受信するようにさらに構成される、Ｃ２４に記載の装置。
［Ｃ２６］  前記１つまたは複数のプロセッサおよび前記メモリは、
複数の物理アップリンク制御チャネル（ＰＵＣＣＨ）グループを識別することと、
前記複数のＰＵＣＣＨグループの各々について別個に前記ＤＡＩを解釈することと、  を行うようにさらに構成される、Ｃ２４に記載の装置。
［Ｃ２７］  前記ＤＡＩは、前記ＵＬグラントにおいて前記基地局から受信され、前記ｅＣＡは、少なくとも１つの時分割複信（ＴＤＤ）キャリアを含み、前記ＤＡＩは、前記ｅＣＡの少なくとも１つのキャリアについて、時間上の前記コードワードまたはＤＬ割当ての総数を示す、Ｃ２３に記載の装置。
［Ｃ２８］  拡張キャリアアグリゲーション（ｅＣＡ）におけるダウンリンク（ＤＬ）割当てインデックス（ＤＡＩ）管理の方法であって、
基地局において、ＤＡＩをＤＬグラントにおいて送信するかアップリンク（ＵＬ）グラントにおいて送信するかを決定することと、ここにおいて、前記ＤＡＩは、コードワードまたはＤＬ割当ての総数を示し、
前記決定に応答して、前記基地局から、１つまたは複数のユーザ機器（ＵＥ）に前記ＤＬグラントまたは前記ＵＬグラントにおいて前記ＤＡＩを送信することと、
を備える方法。